(57)【要約】【課題】装着されたディスクに最適な高周波信号の振幅を、簡易な構成によって、迅速に求める方法を提供する。【解決手段】高周波信号が重畳された信号によって駆動される光源と、前記光源からの光の反射光を検出する検出器と、前記光源の駆動信号に重畳される高周波信号の振幅を制御する制御部と、を備え、前記検出器からの信号によって装着されたディスクからデータを読み出す光ディスク装置であって、前記制御部は、前記光検出器から出力される信号の非対称性に基づいて、前記光源駆動信号に重畳される高周波信号の振幅を決定する。【選択図】図５
2011134409.tif 000002
【特許請求の範囲】
【請求項１】
高周波信号が重畳された信号によって駆動される光源と、
前記光源からの光の反射光を検出する検出器と、
前記光源の駆動信号に重畳される高周波信号の振幅を制御する制御部と、を備え、
前記検出器からの信号によって装着されたディスクからデータを読み出す光ディスク装置であって、
前記制御部は、前記光検出器から出力される信号の非対称性に基づいて、前記光源駆動信号に重畳される高周波信号の振幅を決定することを特徴とする光ディスク装置。
【請求項２】
前記光ディスク装置は、
前記光源を駆動する信号に第１の振幅の高周波信号を重畳した状態で、前記光検出器の出力の第１の非対称性を測定し、
前記測定された第１の非対称性が所定の閾値より小さい場合、前記第１の振幅を前記光源駆動信号に重畳される高周波信号の振幅に決定することを特徴とする請求項１に記載の光ディスク装置。
【請求項３】
前記第１の振幅は、データ読取時に重畳される高周波信号の振幅又は前記高周波信号の振幅の最低値であり、
前記光ディスク装置は、前記第１の非対称性が所定の閾値より小さくない場合、前記第１の振幅をより高い値に変更した後、前記第１の非対称性を測定することを特徴とする請求項２に記載の光ディスク装置。
【請求項４】
前記第１の振幅は、前記データ読取時に重畳される高周波信号の振幅であり、  前記光ディスク装置は、前記第１の非対称性が所定の閾値より小さくない場合、前記第１の振幅をより低い値に変更した後、前記第１の非対称性を測定することを特徴とする請求項２に記載の光ディスク装置。
【請求項５】
前記光ディスク装置は、
前記光源を駆動する信号に第１の振幅の高周波信号を重畳した状態で、前記光検出器の出力の第１の非対称性を測定し、
前記光源を駆動する信号に第２の振幅の高周波信号を重畳した状態で、前記光検出器の出力の第２の非対称性を測定し、
前記測定された第１の非対称性と第２の非対称性との差が所定の閾値より小さい場合、前記第１の振幅以上かつ前記第２の振幅以下の値を前記光源駆動信号に重畳される高周波信号の振幅に決定することを特徴とする請求項１に記載の光ディスク装置。
【請求項６】
前記第１の振幅は、前記データ読取時に重畳される高周波信号の振幅又は前記高周波信号の振幅の最低値であり、
前記第２の振幅は、前記第１の振幅より大きな値であり、
前記光ディスク装置は、前記測定された第１の非対称性と第２の非対称性との差が所定の閾値より小さくない場合、前記第１及び第２の振幅をより高い値に変更した後、前記第１及び第２の非対称性を測定することを特徴とする請求項５に記載の光ディスク装置。
【請求項７】
前記第１の振幅は、前記データ読取時に重畳される高周波信号の振幅であり、
前記第２の振幅は、前記第１の振幅より大きな値であり、
前記光ディスク装置は、前記測定された第１の非対称性と第２の非対称性との差が所定の閾値より小さくない場合、前記第１及び第２の振幅をより低い値に変更した後、前記第１及び第２の非対称性を測定することを特徴とする請求項５に記載の光ディスク装置。
【請求項８】
高周波信号が重畳された信号によって駆動される光源と、
前記光源からの光の反射光を検出する検出器と、
前記光源の駆動信号に重畳される高周波信号の振幅を制御する制御部と、を備え、
前記検出器からの信号によって装着されたディスクからデータを読み出す光ディスク装置であって、
前記光ディスクからデータを再生する前に、前記光源駆動信号に重畳される高周波信号の振幅を決定することを特徴とする光ディスク装置。
【請求項９】
装着された光ディスクからデータを読み出す光ディスク装置における光ディスク再生方法であって、
前記光ディスク装置は、レーザ光を発光する光源と、前記光源からの光の反射光を検出する検出器と、前記光源の駆動信号に重畳される高周波信号の振幅を制御する制御部と、を備え、
前記光源は、高周波信号が重畳されたレーザ光を、前記光ディスクに照射し、
前記検出器は、前記光源からの光の反射光を検出し、
前記制御部は、前記光検出器から出力される信号の非対称性に基づいて、前記光源駆動信号に重畳される高周波信号の振幅を決定し、
前記決定された振幅の高周波信号が重畳されたレーザ光を照射して、光ディスクを再生することを特徴とする光ディスク再生方法。
【発明の詳細な説明】
【技術分野】
【０００１】
本発明は、光ディスク装置に関し、特に、レーザノイズ低減のために、レーザ光源の駆動信号に重畳される高周波信号の振幅を好適に調節できる光ディスク装置に関する。
【背景技術】
【０００２】
光ディスク装置は、レーザ光源から発光するレーザ光を光ディスクに照射して、光ディスクの表面で反射したレーザ光によって、光ディスクに記録されたデータを生成する。また、光ディスク装置は、その構造上、光ディスクからの反射光の一部がレーザ光源に入射する。この反射光によって、レーザ光のノイズが著しく増大する場合がある。このため、レーザ光源の駆動信号に高周波信号を重畳することによって、レーザ光源から出力されるレーザ光を連続光ではなく、高周波信号で変調された断続光にし、発光タイミングと戻り光の入射タイミングとをずらすことによって、レーザ光の強度の変化を抑えている（例えば、特許文献１、２参照）。
【先行技術文献】
【特許文献】
【０００３】
【特許文献１】特開２００８−１１２５７８号公報
【特許文献２】特開２００９−１１０６０２号公報
【発明の概要】
【発明が解決しようとする課題】
【０００４】
前述したように、光ディスク再生時には高周波を重畳することによって、再生性能を安定にすることができるが、レーザ光源に重畳される高周波振幅が小さくレーザ光の変調度が低くなると、高周波を重畳してもレーザ光ノイズが十分に低減されない場合がある。例えば、レーザダイオードの特性のばらつきや、光学系の特性のばらつきによって、十分な変調度が得られないことがある。このような原因によって、レーザ光ノイズが十分に低減されないと、光ディスクに記録されたデータを再生できない場合がある。
【０００５】
一方、過大な振幅の高周波信号を重畳して光ディスクを再生すると、光ディスクに記録されたデータを破壊する危険性があるため、重畳される高周波信号の振幅を小さくして、レーザ光のピークパワーを小さくすることが求められている。
【０００６】
このため、好適な変調度が得られるように高周波振幅を調整する必要がある。
【０００７】
従来、高周波信号の重畳量を決定する方法として、光ディスクから読み出されたデータのエラー率に基づいて決定する方法が提案されている。しかし、エラー率を測定するためには、光ディスクからデータの再生（すなわち、デコードまでの処理）をしなければならず、そのために、高周波信号の重畳量を調整する前に、トラッキング等の様々な調整が必要であり、高周波信号の重畳量を決定するまでに時間がかかっていた。
【０００８】
さらに、エラー率を算出するためには、一定区間のデータを連続して再生する必要があり、エラー率を算出するためのデータを読み出す時間が必要であった。このため、高周波信号の重畳量を早く決定することができる方法が求められている。
【０００９】
また、レーザーノイズ量に基づいて、高周波信号の重畳量を決定する方法も提案されている。しかし、レーザーノイズ量を測定するためには、高周波信号を検出可能な専用の検出器が必要であり、光ディスク装置の構成が複雑になり、コストアップとなる問題がある。
【００１０】
本発明は、装着されたディスクに好適な高周波信号の振幅を、簡易な構成によって、迅速に求め、安定した再生性能を得ることを目的とする。
【課題を解決するための手段】
【００１１】
本発明の代表的な一例を示せば以下の通りである。すなわち、高周波信号が重畳された信号によって駆動される光源と、前記光源からの光の反射光を検出する検出器と、前記光源の駆動信号に重畳される高周波信号の振幅を制御する制御部と、を備え、前記検出器からの信号によって装着されたディスクからデータを読み出す光ディスク装置であって、前記制御部は、前記光検出器から出力される信号の非対称性に基づいて、前記光源駆動信号に重畳される高周波信号の振幅を決定する。
【発明の効果】
【００１２】
本発明の実施の形態によると、簡易な構成によって装着されたディスクに最適な高周波信号の振幅を求めることができる。
【図面の簡単な説明】
【００１３】
【図１】本発明の実施の形態の光ディスク装置の構成を示すブロック図である。
【図２】本発明の実施の形態のレーザドライバ及びレーザパワー制御回路の構成を示すブロック図である。
【図３】本発明の実施の形態の光ディスク装置の光電変換素子の出力に非対称性が生じる原理を説明する図である。
【図４】本発明の実施の形態の光ディスク装置の光電変換素子の出力の非対称性の実測値を説明する図である。
【図５】本発明の第１の実施の形態の光ディスク装置のＨＦ調整処理のフローチャートである。
【図６】本発明の第２の実施の形態の光ディスク装置のＨＦ調整処理のフローチャートである。
【図７】本発明の第２実施の形態のＨＦ調整処理において、高周波信号の振幅値を連続的に変化させた場合を説明する図である。
【発明を実施するための形態】
【００１４】
図１は、本発明の実施の形態の光ディスク装置１００の構成を示すブロック図である。
【００１５】
本実施の形態の光ディスク装置１００は、ホストコンピュータ１５０と接続され、装着された光ディスク１０１（例えば、ブルーレイディスク）から再生したデータをホストコンピュータ１５０へ出力する。なお、光ディスク装置１００は、ホストコンピュータ１５０から入力されるデータを、書き込み可能な光ディスク１０１に記録する機能を有してもよい。
【００１６】
本実施の形態の光ディスク装置は、スピンドルモータ１０２、Ｉ／Ｖ変換回路１０９、信号処理回路１１０、復調回路１１１、光ディスク判別回路１１２、レーザドライバ１１３、システムコントローラ１１４、メモリ１１５、データバス１１６、光ピックアップ１２０及びレーザパワー制御回路１２３を備える。
【００１７】
スピンドルモータ１０２は、光ディスク装置１００に装着された光ディスク１０１を回転駆動する。
【００１８】
光ピックアップ１２０は、対物レンズ１０３、スプリッタ１０４、コリメートレンズ１０５、集光レンズ１０６、光電変換素子１０７、レーザ光源１０８及びモニタダイオード１２１を備え、光ディスク１０１からデータを再生する時には、弱いレーザ光を光ディスク１０１に照射し、そのレーザ光の反射光により、光ディスク１０１に記録されているデータを再生し、反射光に対応するＲＦ信号を出力する。
【００１９】
レーザ光源１０８は、記録及び再生のために所定の強度のレーザ光を発生する半導体レーザであり、装着されるディスクの種類毎に定められた波長のレーザ光を発光する。レーザ光源１０８から発光されたレーザ光は、コリメートレンズ１０５及び対物レンズ１０３を介して光ディスク１０１の記録面の所定半径に照射される。なお、対物レンズ１０３は、アクチュエータによって駆動され、光ディスク面上にレーザ光が合焦するように調整される。
【００２０】
また、レーザ光源１０８は、光ディスク１０１にデータを記録する時には、再生時より強いレーザ光を光ディスク１０１に照射する。光ディスク１０１は、レーザ光が照射された部分の熱による相変化によって記録層に記録ピットを形成し、記録層の反射率を変化させてデータを記録する。
【００２１】
光ディスク１０１の記録面で反射したレーザ光は、スプリッタ１０４で分離され、集光レンズ１０６で集光され、光電変換素子１０７に導かれる。光電変換素子１０７は、受光した反射光を電気信号（ＲＦ信号）に変換し、反射光に対応するＲＦ信号を出力する。なお、反射光の一部は、レーザ光源１０８にも入射する。
【００２２】
モニタダイオード１２１は、ＡＰＣ制御のために、レーザパワーを検出するモニタダイオードであり、モニタダイオードの信号帯域は、再生時のレーザ光に重畳される高周波に対して十分帯域が低いものでもよい。モニタダイオード１２１で検出されたモニタダイオード出力信号１２２はレーザパワー制御回路１２３に入力される。
【００２３】
Ｉ／Ｖ変換回路１０９は、光電変換素子１０７から出力された電流信号を電圧信号（ＲＦ信号）に変換し、増幅する。信号処理回路１１０は、デジタルシグナルプロセッサ（ＤＳＰ）であり、光電変換素子１０７から出力されたＲＦ信号をデジタルデータに変換する。また、信号処理回路１１０は、光ディスク構造によって異なる光ディスク判別用信号、光ビームの焦点を調整するためのフォーカス誤差信号、光ディスク１０１０のトラックに追従するためのトラッキング誤差信号を出力する。
【００２４】
復調回路１１１は、信号処理回路１１０から出力されたデジタルデータを光ディスクの種類毎に定められたフォーマットに従って復調し、エラー検出及びエラー訂正を行った後、復調されたデータをメモリ１１５（バッファ）に一時的に格納する。
【００２５】
光ディスク判別回路１１２は、信号処理回路１１０から出力される光ディスク判別用信号によって装着された光ディスク１０１の種類を判別する。光ディスク判別回路１１２から出力される光ディスク１０１の判別結果はデータバス１１６を介してマイコン１１４に入力される。マイコン１１４は光ディスクの判別結果に基づいて、判別された光ディスクに最適な条件（再生条件、書込条件）になるように、各回路を制御する。
【００２６】
レーザドライバ１１３は、光学ヘッド１２０のレーザ光源１０８を駆動するためのレーザ駆動信号１１７を出力する。レーザパワー制御回路１２３は、光ディスク判別回路１１２による光ディスクの種類の判別結果に従って、再生時又は書込時のレーザパワー目標値を設定する。
【００２７】
システムコントローラ１１４は、光ディスク装置１００の動作を制御するマイクロプロセッサ及びメモリを備える。システムコントローラ１１４のメモリは、実行されるプログラム、及び、該プログラムを実行する際に必要なデータを格納する。システムコントローラ１１４は、光ディスク装置１００と接続されるホストコンピュータ１５０との間のデータ及びコマンドの送受信を制御するインターフェースを備える。また、システムコントローラ１１４は、メモリ１１５に一時的に記憶されたデータの読み出し、及びメモリ１１５へのデータの書き込みを制御する。また、システムコントローラ１１４は、ホストコンピュータ１５０から受信したコマンドを解釈し、受信したコマンドに従った処理を行う。
【００２８】
メモリ１１５は、バッファ領域を含み、光ディスク１０１から再生されたデータをバッファ領域に一時的に記憶する。データバス１１６は、光ディスク装置１００の各回路を接続する。
【００２９】
図２は、本発明の実施の形態のレーザドライバ１１３及びレーザパワー制御回路１２３の構成を示すブロック図である。
【００３０】
レーザパワー制御回路１２３は、再生パワー目標値発生回路１３１及び減算器１３２を備える。
【００３１】
まず、システムコントローラ１１４は、光ディスク判別回路１１２によって判別された光ディスク１０１の種類に応じて、各光ディスクに対応した再生時の平均レーザパワーの目標値を再生パワー目標値発生回路１００１に設定する。減算器１３２は、再生パワー目標値発生回路１００１に設定された目標値とモニタダイオード出力１２２との差分値１２４を計算する。計算された差分値１２４は、レーザドライバ１１３に出力される。
【００３２】
レーザドライバ１１３は、アンプ１３３、高周波信号生成回路１３４、スイッチ１３６及び加算器１３７を備える。
【００３３】
レーザドライバ１１３は、レーザパワー制御回路１２３によって計算された差分値１２４によって、レーザ光源１０８から出力されるレーザ光の強度を制御する。これによって、レーザ光源１０８周辺の温度変化、経時劣化等によるＩ／Ｌの変化を補正し、レーザ強度を安定して制御することができる。
【００３４】
アンプ１３３は、入力された差分値１２４を増幅し、加算器１３７に入力される。
【００３５】
高周波信号生成回路１３４は、可変ゲインアンプ１３５、振幅制御回路１３８及び周波数制御回路１３９を備え、レーザ駆動信号１１７に重畳される高周波信号を生成する。
【００３６】
高周波信号生成回路１３４から出力される高周波信号の振幅及び周波数、すなわち、再生レーザパワーに重畳される高周波信号の振幅及び周波数は、システムコントローラ１１４によって設定可能である。具体的には、振幅制御回路１３８は、光ディスク判別回路１１２又はシステムコントローラ１１４によって設定された値によって、重畳される高周波信号の振幅を制御する。周波数制御回路１３９は、光ディスク判別回路１１２又はシステムコントローラ１１４によって設定された値によって、重畳される高周波信号の周波数を制御する。高周波信号の重畳量を調整することによって、レーザノイズを低減し、好適な条件でディスクを再生することができる。
【００３７】
可変ゲインアンプ１３５は、差分値１２４によって制御されるゲインで、振幅制御回路１３８から出力される振幅値及び周波数制御回路１３９から出力される高周波信号を増幅し、所定の振幅の高周波信号を生成する。
【００３８】
スイッチ１３６は、高周波信号生成回路１３４の出力のオン／オフを制御する。
【００３９】
スイッチ１３６がオフの状態では、高周波信号生成回路１３４から高周波信号が出力されないので、レーザ出力に高周波信号が重畳されない。この状態ではレーザノイズが再生信号に重畳するため信号品質（Ｓ／Ｎ）が劣化するが、高周波を重畳しないことによって、高周波重畳時のレーザ光のピークパワーが過大となることがなく、過大なレーザパワーによる光ディスクに記録されたデータの誤消去、及び光ディスク記録膜の劣化を回避することができる。
【００４０】
加算器１３７は、アンプ１３３の出力と高周波信号生成回路１３４の出力とを加算する。加算器１３７の出力がレーザ駆動電流出力１１７として、レーザドライバ１１３から出力される。
【００４１】
図３は、光電変換素子１０７の出力に非対称性が生じる原理を説明する図である。
【００４２】
光ディスク（特に、ＢＤ−ＲＯＭ等のＲＯＭ系のディスク）は、合成樹脂（例えば、ポリカーボネート）製の基材に凹型のピット３０１が形成されており、ピットの周辺で反射光の光量３０２が変化する。この反射光の変化を、光電変換素子１０７が検出することによって、光ディスクからデータを読み取る。このため、光電変換素子１０７から出力されるＲＦ信号３０３は、反射光（戻り光）の光量３０２に従って変化する。
【００４３】
通常、光ディスクからの反射光は、レーザ光源１０８へ戻らないようにスプリッタ１０４によって分離されれるが、実際には反射光の一部はスプリッタ１０４を通過し戻り光としてレーザ光源１０８に入射する。レーザ光源１０８にレーザ光が入射すると、スクープノイズと呼ばれるレーザ出力変動が発生する。レーザ光がスペース部を通過する場合、戻り光の光量が大きくレーザ光源１０８から発光されるレーザ光の強度は低くなり、光電変換素子１０７から出力されるＲＦ信号３０３は小さくなる。一方、レーザ光がマーク部を通過する場合、戻り光の光量は小さくレーザ光源１０８から発光されるレーザ光の強度は高くなり、光電変換素子１０７から出力されるＲＦ信号３０３は大きくなる。このように、ディスクに記録されたマークの位置によってＲＦ信号が変動する。
【００４４】
このように、光電変換素子１０７から出力されるＲＦ信号は、スペース部分の信号は大きく、マーク部分の信号は小さくなり、破線で表される波形３０４となる。すなわち、ＲＦ信号の＋側と−側との波形が非対称になる。これは、反射光がレーザ光源１０８に入射することによって、レーザ内の発振状態が戻り光によって変化することによって生じるノイズが発生し、レーザ出力が変化するからである。
【００４５】
ＲＦ出力をこのような非対称にしないために、レーザ光源１０８から出力されるレーザ光を連続光ではなく、高周波信号で変調された断続光にし、レーザ光と戻り光の干渉を低減させることによって、レーザノイズを抑え、ＲＦ出力の対称性を維持することができる。
【００４６】
本願の発明者の測定によると、レーザ光源１０８から出力されるレーザ光に高周波信号を重畳した場合と高周波信号を重畳しない（連続光が出力された）場合とで、光ディスクの種類によって、光電変換素子１０７から出力されるＲＦ信号の対称性に違いがあることが分かった。特に、ＲＯＭ系ディスクと、−Ｒ系ディスクとの間で、対称性が顕著に違った（図４参照）。
【００４７】
例えば、ＢＤ−ＲＯＭディスクで、連続発光状態（ＨＦ  ＯＦＦ）と通常発光状態（ＨＦ  ＯＮ）とを比較する。ＨＦを最低値（ＨＦ＝０）に設定した場合、つまり、連続発光によるＤＣ再生の場合と、通常再生時の設定値（ＨＦ＝３０）に設定した場合でベータを比較すると、３倍に増大する。これに対し、ＢＤ−Ｒディスクでは、ＨＦを最低値に設定した場合とＨＦ＝３０に設定した場合とのベータの値の変化は小さい。さらに、ＨＦ＝０に設定した場合、ＢＤ−ＲＯＭのベータの値は、ＢＤ−Ｒのベータの値より大きい。
【００４８】
なお、ＨＦ＝０では、レーザ駆動信号に高周波信号が重畳されず、ＨＦ＝３０は、レーザ駆動信号に高周波信号が重畳された、ブルーレイディスクの通常の再生条件（通常のデータ読取状態）である。データ読取状態とは、例えば、光ディスク１０１に記録されている管理情報又はユーザデータを再生する場合の高周波重畳状態である。
【００４９】
この通常の再生条件の高周波信号の重畳量は、ディスクの種類及びディスクの層数によって決められており、ディスクの種類の判別結果によって重畳量が設定される。なお、予め定められた初期値から、ディスク毎の特性のばらつきを調整した高周波信号の重畳量を設定してもよい。ディスクの再生に好適な通常の再生条件に高周波信号を調整することによって、再生時のレーザノイズを低減し、ディスクを再生時のエラー率（ＳＥＲ）を少なくすることができる。
【００５０】
このＨＦの設定の変更によってＲＦ信号の非対称性が変化する特性を利用することによって、レーザ光源１０８から出力されるレーザ光に重畳される高周波信号の振幅を変化させて、光電変換素子１０７から出力されるＲＦ信号の対称性を測定することによって、光ディスクの種類を判別することができる。
【００５１】
このＲＦ信号の非対称性は、式（１）に表される Beta によって計算することができる。
【００５２】
【数１】
2011134409.tif 000003
【００５３】
式（１）において、ＡはＲＦ信号の＋側のピークのゼロレベルからの振幅であり、ＢはＲＦ信号の−側のピークのゼロレベルからの振幅である。すなわち、Beta は、全振幅に対する＋側振幅と−側振幅とのアンバランスの程度を示し、パーセントを単位として表される。なお、Beta はデータ書き込み時の指標として用いられるものであるが、データ再生時にも使用することができる。
【００５４】
このＲＦ信号の非対称性は、式（２）に表される Asymmetry によって計算することができる。
【００５５】
【数２】
2011134409.tif 000004
【００５６】
式（２）において、Ｉ8HはＲＦ出力波形中の８Ｔマーク読み取り時の＋側ピークの電圧値であり、Ｉ8LはＲＦ出力波形中の８Ｔマーク読み取り時の−側ピークの電圧値であり、Ｉ8PPはＲＦ出力波形中の８Ｔマーク読み取り時のピーク・トゥー・ピークの電圧値であり、Ｉ8H−Ｉ8Lで表される。また、Ｉ2HはＲＦ出力波形中の２Ｔマーク読み取り時の＋側ピークの電圧値であり、Ｉ2LはＲＦ出力波形中の２Ｔマーク読み取り時の−側ピークの電圧値である。
【００５７】
すなわち、Asymmetry は、最長の８Ｔマーク読み取り時の信号レベルの中心（Ｉ8H＋Ｉ8L）／２と、最短の２Ｔマーク読み取り時の信号レベルの中心と（Ｉ2H＋Ｉ2L）／２の差の、最長の８Ｔマーク読み取り時のピーク・トゥー・ピーク電圧に対する割合で、パーセントを単位として表される。
【００５８】
前述した Asymmetry 及び Beta は、信号処理回路１１０によって計算されて、出力される。出力された Asymmetry （又は、Beta）は、光ディスク判別回路１１２に入力され、後述する光ディスク判別処理に使用される。
【００５９】
図５は、本発明の第１の実施の形態の光ディスク装置１００のＨＦ調整処理のフローチャートであり、システムコントローラ１１４によって実行される。
【００６０】
まず、光ディスク装置１００は、装着された光ディスク１０１の種類を判別し、管理情報を読み取り、レーザパワーの調整、フォーカス調整を行う。そして、Ｌ０層にジャンプする。なお、トラッキング調整は、図５に示すＨＦ調整処理の後に実行すればよい（すなわち、ＨＦ調整処理中はトラッキングがオフでもよい）が、ＨＦ調整処理の前に実行してもよい。なお、これまでの処理において、予め設定された初期値の高周波信号の重畳量によるレーザ光が照射される。
【００６１】
その後、システムコントローラ１１４は、トラッキングがオン又はオフの状態で、高周波信号の振幅値＝ＨＦａｍｐ１を高周波信号生成回路１３４に設定し、高周波信号が重畳されたレーザ光を光ディスク１０１に照射する（２０１）。このＨＦａｍｐ１は、光ディスクを再生することができる高周波信号の振幅、例えば、光ディスクの種類によって予め定められている通常のデータ読取状態の高周波信号の振幅に設定するとよい。このようにＨＦ−ａｍｐ１を最適な読み出し条件に設定することによって、ＨＦの決定に適する波形を得ることができる。
【００６２】
その後、光電変換素子１０７は、光ディスク１０１からの反射光を受光し、ＲＦ信号を出力する（２０２）。信号処理回路１１０は、光電変換素子１０７から出力されたＲＦ信号から、アシンメトリ（Ａｓｙｍ１）を計算し、計算されたアシンメトリを光ディスク判別回路１１２に送る（２０３）。
【００６３】
システムコントローラ１１４は、高周波信号の振幅値＝ＨＦａｍｐ２を高周波信号生成回路１３４に設定し、高周波信号が重畳されたレーザ光を光ディスク１０１に照射する（２０４）。このＨＦａｍｐ２は、再生状態と異なる高周波信号の振幅、例えば、通常のデータ読取状態と異なる高周波信号の振幅である、光ディスク装置１００に設定可能な最低の振幅（例えば、振幅＝０）に設定するとよい。これは、重畳される高周波信号の振幅が０である場合、光電変換素子１０７から出力されるＲＦ信号の非対称性が最も大きいからである。
【００６４】
その後、光電変換素子１０７は、光ディスク１０１からの反射光を受光し、ＲＦ信号を出力する（２０５）。信号処理回路１１０は、光電変換素子１０７から出力されたＲＦ信号から、アシンメトリ（Ａｓｙｍ２）を計算し、計算されたアシンメトリを光ディスク判別回路１１２に送る（２０６）。
【００６５】
システムコントローラ１１４は、異なる高周波重畳条件で取得したＲＦ信号のアシンメトリＡｓｙｍ１とＡｓｙｍ２との差（ΔＡｓｙｍ）を求め（２０７）、求められたアシンメトリの差（変化量）を所定の閾値（Ａｓｙｍ＿ｓｕｂ）と比較する（２０８）。
【００６６】
その結果、アシンメトリの変化量が所定の閾値以上である場合、高周波信号の振幅値は、この光ディスク１０１の再生に適した条件ではないので、ＨＦａｍｐ１に所定値（ΔＨＦａｍｐ）を加算し（２１０）、ＨＦａｍｐ２に所定値（ΔＨＦａｍｐ）を加算し（２１１）、ステップ２０１に戻り、新たな高周波信号の振幅値でＲＦ信号のアシンメトリを測定する。なお、この高周波信号の振幅値は、１セットの測定毎に変化させずに、測定動作中、連続的に変化させてもよい。
【００６７】
一方、アシンメトリの変化量が所定の閾値より小さい場合、高周波信号の振幅値は、この光ディスク１０１の再生に適した条件なので、ＨＦａｍｐ１とＨＦａｍｐ２との平均値を、この光ディスクを再生するための高周波信号の重畳量に決定する（２０９）。なお、決定される高周波信号の重畳量は、ＨＦａｍｐ１、ＨＦａｍｐ２又はＨＦａｍｐ１とＨＦａｍｐ２との間の値であれば、平均値でなくてもよい。
【００６８】
第１の実施の形態のＨＦ調整処理では、アシンメトリを用いて高周波信号の重畳量を決定したが、前述したベータ値を用いてもよい。
【００６９】
また、データ再生時の他の特性（例えば、エラー率）も用いて、最終的な高周波信号の重畳量を決定してもよい。
【００７０】
次に、第１の実施の形態のＨＦ調整処理の変形例について説明する。
【００７１】
第１の実施の形態のＨＦ調整処理では、以下の（１）に示すように、高周波信号の振幅値を、初期設定された最適な読取状態から上げることによって、高周波信号の振幅の最適値を探したが、（２）（３）の変形例がある。
（１）高周波信号の振幅値の初期値  光ディスクを再生可能な条件（例えば、初期設定された通常のデータ読取状態）
高周波信号の振幅値の変化    大きくする
（２）高周波信号の振幅値の初期値  光ディスクを再生可能な条件（例えば、初期設定された通常のデータ読取状態）
高周波信号の振幅値の変化    小さくする
（３）高周波信号の振幅値の初期値  最低値（高周波信号を重畳しない）
高周波信号の振幅値の変化    大きくする
なお、複数の方法を併用し、該併用された複数の方法で求められた最適値のうち最も小さな値を高周波信号の重畳量に決定してもよい。これは、レーザパワーのピーク値（すなわち、重畳される高周波信号の振幅）は低い方が、再生時のレーザ光の照射に対する耐力の観点から望ましいからである。
【００７２】
また、初期設定時にはエラー率に基づいて高周波信号の重畳量を決定した後、リカバリ処理において、前述した第１の実施の形態のＨＦ調整処理を実行してもよい。この場合（１）から（３）のいずれか又は複数の処理を、リカバリ処理において実行してもよい。なお、リカバリ処理は、初期化処理において再生条件を調整したが、例えば、ＳＥＲが高い等、データが読めない場合、再生条件を再設定する処理である。
【００７３】
図６は、本発明の第２の実施の形態の光ディスク装置１００のＨＦ調整処理のフローチャートであり、システムコントローラ１１４によって実行される。
【００７４】
第２の実施の形態のＨＦ調整処理は、前述した第１の実施の形態のＨＦ調整処理と異なり、二つのＨＦ設定値におけるアシンメトリの差ではなく、一つのＨＦ設定値におけるアシンメトリの値に基づいて、高周波信号の重畳量を決定する。
【００７５】
まず、第１の実施の形態のＨＦ調整処理と同様に、光ディスク装置１００は、装着された光ディスク１０１の種類を判別し、管理情報を読み取り、レーザパワーの調整、フォーカス調整を行う。そして、Ｌ０層にジャンプする。
【００７６】
次に、光ディスク判別回路１１２は、高周波信号の振幅値＝ＨＦａｍｐ１を高周波信号生成回路１３４に設定し、高周波信号が重畳されたレーザ光を光ディスク１０１に照射する（２２１）。このＨＦａｍｐ１は、光ディスク装置１００に設定可能な最低の振幅（例えば、振幅＝０）に設定するとよい。これは、重畳される高周波信号の振幅が０である場合、光電変換素子１０７から出力されるＲＦ信号の非対称性が最も大きいからである。
【００７７】
その後、光電変換素子１０７は、光ディスク１０１からの反射光を受光し、ＲＦ信号を出力する（２２２）。信号処理回路１１０は、光電変換素子１０７から出力されたＲＦ信号から、アシンメトリを計算し、計算されたアシンメトリをシステムコントローラ１１４に送る（２２３）。
【００７８】
システムコントローラ１１４は、光電変換素子１０７から出力されたＲＦ信号のアシンメトリ（Ａｓｙｍ１）を所定の閾値（Ａｓｙｍ＿ｔｈ）と比較する（２２４）。この閾値は、規格において許容される非対称性の最大値（又は、最大値に所定のマージンを加えた値）に設定するとよい。
【００７９】
その結果、アシンメトリが所定の閾値以上である場合、高周波信号の振幅値が規格外であり、この光ディスク１０１の再生に適した条件ではないので、高周波信号の振幅値に所定値（ΔＨＦａｍｐ）を加算し（２２６）、ステップ２２２に戻り、光電変換素子１０７から出力されるＲＦ信号を取得する。なお、この高周波信号の振幅値は、１回の測定毎に変化させずに、測定動作中、連続的に変化させてもよい。
【００８０】
一方、アシンメトリが所定の閾値より小さい場合、高周波信号の振幅値が規格内であり、この光ディスク１０１の再生に適した条件なので、現在の高周波信号の振幅値を、この光ディスクを再生するための高周波信号の重畳量に決定する（２２５）。
【００８１】
図７は、本発明の第２実施の形態のＨＦ調整処理において、高周波信号の振幅値を連続的に変化させた場合を説明する図である。
【００８２】
高周波信号の振幅値７０１を大きくすると、非対称性（アシンメトリ）７０２は小さくなる。高周波信号の振幅値を初期値（初期設定された最適な読み取り条件）で、１回目のアシンメトリの測定をする（７１１）。
【００８３】
その後、高周波信号の振幅値を大きくしながら、アシンメトリが所定の閾値より小さくなるまで、アシンメトリの測定を繰り返す（７１２、７１３）。そして、閾値（アシンメトリの規格値）７０３より小さいアシンメトリが得られた高周波信号の振幅値を、光ディスクを再生するための高周波信号の重畳量に決定する（７１４）。
【００８４】
以上説明したように、本発明の実施の形態によると、簡易な構成によって、装着されたディスクに最適な高周波信号の振幅を求めることができる。このため、余分な高周波信号を重畳することなく、レーザ光のピークパワーを下げて、平均パワーを上げることができる。
【００８５】
また、本発明の実施の形態によると、光ディスクからデータの再生（すなわち、デコードまでの処理）をする前に、高周波信号の重畳量を調整することができる。
【００８６】
特に、第１の実施の形態の変形例（２）のように、高周波信号の振幅値を初期設定された最適読取条件から小さくしたり、変形例（３）のように、高周波信号の振幅値を最低値から大きくすると、より低い高周波信号の重畳量を決定することができる。
【符号の説明】
【００８７】
１００  光ディスク装置
１１３  レーザドライバ
１１４  システムコントローラ
１２３  レーザパワー制御回路
１５０  ホストコンピュータ
【図１】
2011134409.tif 000005
【図２】
2011134409.tif 000006
【図３】
2011134409.tif 000007
【図４】
2011134409.tif 000008
【図５】
2011134409.tif 000009
【図６】
2011134409.tif 000010
【図７】
2011134409.tif 000011